(57)【要約】【課題】送信対象のファクシミリデータを速やかに受信側装置に受信させる。【解決手段】送信側制御部は、ファクシミリ通信によるデータ送信の実行に先立って、自機側の通信ネットワーク内から、受信側記憶部に保存された既存データを退避させることが可能な記憶装置を検索するとともに、検索した記憶装置を退避先として選択し、受信側装置に対して退避先のアドレスを通知することにより、既存データのうち少なくとも一部のデータを退避データとして退避先に転送するデータ退避処理を受信側装置に行わせる。【選択図】図６
2016019275.tif 000002
【特許請求の範囲】
【請求項１】
ファクシミリ通信によるデータ送信の実行指示を受け付ける送信側受付部と、
前記ファクシミリ通信の相手機である受信側装置にファクシミリデータを送信する送信側通信部と、
前記ファクシミリ通信時の装置動作を制御する送信側制御部と、を備え、
前記送信側受付部が前記ファクシミリ通信によるデータ送信の実行指示を受け付けたとき、前記送信側制御部は、前記受信側装置に設けられた保存領域でありファクシミリデータが保存される保存領域である受信側記憶部の使用容量を示す使用容量データを取得することにより、前記使用容量が予め定められた閾値容量を上回っているか否かを判断し、
前記使用容量が前記閾値容量を上回っているとき、前記送信側制御部は、前記ファクシミリ通信によるデータ送信の実行に先立って、自機側の通信ネットワーク内から、前記受信側記憶部に保存された既存データを退避させることが可能な記憶装置を検索するとともに、検索した前記記憶装置を退避先として選択し、前記受信側装置に対して前記退避先のアドレスを通知することにより、前記既存データのうち少なくとも一部のデータを退避データとして前記退避先に転送するデータ退避処理を前記受信側装置に行わせることを特徴とするファクシミリ装置。
【請求項２】
前記自機側の通信ネットワーク内に前記退避先となり得る記憶装置が存在しない場合、前記送信側制御部は、前記自機に設けられた送信側記憶部を前記退避先として選択し、前記受信側装置に対して前記自機のアドレスを通知することを特徴とする請求項１に記載のファクシミリ装置。
【請求項３】
前記送信側受付部は、前記退避先への転送を受け入れる前記退避データの上限サイズの設定を受け付けることを特徴とする請求項１または２に記載のファクシミリ装置。
【請求項４】
請求項１〜３のいずれか１項に記載のファクシミリ装置と、
前記ファクシミリ装置側の通信ネットワーク内に設けられた記憶装置と、
受信側装置と、を備え、
前記受信側装置は、
前記ファクシミリ装置から送信されるファクシミリデータを受信する受信側通信部と、
前記受信側通信部が受信したファクシミリデータを保存する受信側記憶部と、
前記ファクシミリ装置から前記退避先のアドレスが通知されたとき、前記受信側記憶部に保存された既存データのうちから、前記退避先に退避させる退避データとするデータを選択し、前記退避先への前記退避データの転送を前記受信側通信部に行わせる受信側制御部と、を含むことを特徴とするファクシミリ通信システム。
【請求項５】
前記受信側装置は、前記既存データのうちから前記退避データとするデータを選択するときの選択条件の設定を受け付ける受信側受付部を含み、
前記ファクシミリ装置から前記退避先のアドレスが通知されたとき、前記受信側制御部は、前記受信側受付部が受け付けた前記選択条件に基づき、前記既存データのうちから前記退避データとするデータを選択することを特徴とする請求項４に記載のファクシミリ通信システム。
【請求項６】
前記退避先への前記退避データの転送を前記受信側通信部に行わせた場合、前記受信側制御部は、前記ファクシミリ装置からのファクシミリデータを前記受信側通信部が受信して以降、前記受信側記憶部の空き容量の確認を行い、前記受信側記憶部の空き容量が前記退避データを保存できる容量となっていれば、前記退避先からの前記退避データの取得を前記受信側通信部に行わせることを特徴とする請求項４または５に記載のファクシミリ通信システム。
【発明の詳細な説明】
【技術分野】
【０００１】
本発明は、ファクシミリ装置およびファクシミリ通信システムに関する。
【背景技術】
【０００２】
ファクシミリ通信の実行が可能なファクシミリ装置は、ファクシミリデータ（ファクシミリ通信により受信した画像データ）を保存するための画像メモリーを有する。そして、送信側装置からデータ送信を受ける受信側装置は、ファクシミリデータを受信すると、そのファクシミリデータを画像メモリーに一旦保存し、画像メモリーに保存されたファクシミリデータに基づき印刷を行う。
【０００３】
このようなファクシミリ装置において、受信側装置の画像メモリーがメモリーフル状態に陥っていると、受信側装置では新たなファクシミリデータを保存することができない。したがって、受信側装置の画像メモリーがメモリーフル状態のときには、送信側装置がファクシミリ通信によるデータ送信を実行しても、受信側装置ではファクシミリデータが受信されない。
【０００４】
そこで、特許文献１では、受信側装置に対して予め所定機器をインターフェイス接続しておき、受信側装置の画像メモリーに保存されたファクシミリデータを所定機器に転送できるようにしている。これにより、受信側装置の画像メモリーがメモリーフル状態であっても、受信側装置の画像メモリーに既に保存されている既存データを所定機器に転送することにより、メモリーフル状態が解消されるので、受信側装置においてファクシミリデータの受信が可能となる。
【先行技術文献】
【特許文献】
【０００５】
【特許文献１】特開２００２−２３２６５９号公報
【発明の概要】
【発明が解決しようとする課題】
【０００６】
特許文献１では、受信側装置のメモリーフル状態を解消するため、受信側装置の既存データの転送を受け入れるための所定機器を別途準備し、受信側装置にインターフェイス接続しておく必要がある。しかし、場合によっては、受信側装置の既存データの転送を受け入れるための所定機器を受信側で準備できない場合がある（たとえば、データ転送先となり得る機器を所有していない場合など）。この場合には、受信側装置の既存データを転送できない。このため、受信側装置においてはメモリーフル状態が続き、送信対象のファクシミリデータを受信側装置に受信させるのが困難になる。
【０００７】
また、受信側装置の既存データの転送を受け入れるための所定機器が故障していたり、所定機器そのものがメモリーフル状態となっていたりする場合にも、受信側装置の既存データを転送できない。
【０００８】
本発明は、上記課題を解決するためになされたものであり、受信側装置がメモリーフル状態のとき、受信側装置の既存データの転送を受け入れるための機器が受信側に存在しなくても、送信対象のファクシミリデータを速やかに受信側装置に受信させることが可能なファクシミリ装置およびファクシミリ通信システムを提供することを目的とする。
【課題を解決するための手段】
【０００９】
上記目的を達成するため、本発明のファクシミリ装置は、ファクシミリ通信によるデータ送信の実行指示を受け付ける送信側受付部と、ファクシミリ通信の相手機である受信側装置にファクシミリデータを送信する送信側通信部と、ファクシミリ通信時の装置動作を制御する送信側制御部と、を備える。そして、送信側受付部がファクシミリ通信によるデータ送信の実行指示を受け付けたとき、送信側制御部は、受信側装置に設けられた保存領域でありファクシミリデータが保存される保存領域である受信側記憶部の使用容量を示す使用容量データを取得することにより、その使用容量が予め定められた閾値容量を上回っているか否かを判断する。また、受信側記憶部の使用容量が閾値容量を上回っているとき、送信側制御部は、ファクシミリ通信によるデータ送信の実行に先立って、自機側の通信ネットワーク内から、受信側記憶部に保存された既存データを退避させることが可能な記憶装置を検索するとともに、検索した記憶装置を退避先として選択し、受信側装置に対して退避先のアドレスを通知することにより、受信側記憶部に保存された既存データのうち少なくとも一部のデータを退避データとして退避先に転送するデータ退避処理を受信側装置に行わせる。
【００１０】
本発明の構成では、ファクシミリ通信によるデータ送信を実行するとき、受信側装置がメモリーフル状態（受信側記憶部の使用容量が閾値容量を上回っている状態）であれば、受信側記憶部に保存された既存データのうち少なくとも一部のデータを退避先に転送するデータ退避処理が行われる。このデータ退避処理において退避先となる記憶装置は、送信側（本発明のファクシミリ装置が送信側となる）の通信ネットワーク内から検索され、選択される。したがって、受信側の通信ネットワーク内に適当な退避先が存在しなくても、データ退避処理が行われ、受信側装置のメモリーフル状態が解消される。これにより、送信対象のファクシミリデータを速やかに受信側装置に受信させることができる。
【発明の効果】
【００１１】
以上のように、本発明によれば、受信側装置がメモリーフル状態のとき、受信側装置の既存データの転送を受け入れるための機器が受信側に存在しなくても、送信対象のファクシミリデータを速やかに受信側装置に受信させることができる。
【図面の簡単な説明】
【００１２】
【図１】本発明の一実施形態によるファクシミリ通信システムの概略図
【図２】本発明の一実施形態による複合機の概略図
【図３】本発明の一実施形態による複合機（送信側装置および受信側装置）のハードウェア構成を示したブロック図
【図４】本発明の一実施形態による複合機（送信側装置）において緊急送信モードの設定を受け付けるときに表示する受付画面の一例を示した図
【図５】本発明の一実施形態による複合機（受信側装置）においてデータ転送の許可設定を受け付けるときに表示する受付画面の一例を示した図
【図６】本発明の一実施形態による複合機（送信側装置）において行われるファクシミリ通信時の制御の流れを説明するためのフローチャート図
【図７】本発明の一実施形態による複合機（受信側装置）において行われるファクシミリ通信時の制御の流れを説明するためのフローチャート図
【図８】本発明の一実施形態による複合機（受信側装置）において行われるファクシミリ通信後の制御の流れを説明するためのフローチャート図
【発明を実施するための形態】
【００１３】
＜ファクシミリ通信システムの全体構成＞
図１に示すように、本実施形態のファクシミリ通信システムＦＳは、それぞれがファクシミリ装置として機能する複合機１００および２００を備える。これら複合機１００および２００は、それぞれ、ファクシミリデータを送信する送信側装置にもなり得るし、ファクシミリデータを受信する受信側装置にもなり得る。そして、複合機１００および２００は、電話回線（交換機）を介してファクシミリ通信を行う。
【００１４】
また、複合機１００は、複数台の通信機器と共に内部ネットワーク（ＬＡＮ：ローカルエリアネットワーク）を構築する。たとえば、複合機１００側の通信ネットワーク内には、複合機１００とは別の複合機３００やサーバー４００などが含まれる。これら複合機３００およびサーバー４００は「記憶装置」に相当する。そして、複合機１００側の通信ネットワーク内の各機器は、ルーターＲＴを介して、外部ネットワークであるインターネットに接続される。なお、複合機１００側の通信ネットワーク内に含まれる機器の種類や台数は特に限定されない。
【００１５】
複合機２００は、ルーターＲＴを介して、インターネットに接続される。これにより、複合機１００側の通信ネットワークを構成する各機器は、複合機２００との間で、インターネットを介した通信が可能となる。たとえば、インターネットを介したファクシミリ通信が可能となっていてもよい。
【００１６】
＜複合機の構成＞
図２および図３に示すように、複合機１００は、画像読取部１０１、印刷部１０２および操作パネル１０３を備える。
【００１７】
画像読取部１０１は、原稿を読み取り、その原稿の画像データを生成する。たとえば、画像読取部１０１の読み取りによって得られた原稿の画像データは、後述する主制御部１１０（図３参照）により各種処理が施される。そして、その画像データは、ファクシミリデータの基データとなる。あるいは、画像データは、印刷部１０２による印刷画像の基データとなる。
【００１８】
印刷部１０２は、給紙部２１、用紙搬送部２２、画像形成部２３および定着部２４によって構成される。給紙部２１は、用紙カセットＰＣに収容された用紙を用紙搬送路ＰＰに供給する。用紙搬送部２２は、用紙搬送路ＰＰに沿って用紙を搬送する。画像形成部２３は、感光体ドラム１、帯電装置２、露光装置３、現像装置４、転写ローラー５およびクリーニング装置６を含む。そして、画像形成部２３は、画像データに基づきトナー像を形成し、そのトナー像を用紙に転写する。定着部２４は、用紙に転写されたトナー像を加熱および加圧して定着させる。
【００１９】
操作パネル１０３は、タッチパネル付きの液晶表示パネル３１を含む。液晶表示パネル３１は、各種設定などを受け付けるためのソフトキーやメッセージを表示する。また、操作パネル１０３には、スタートキー３２やテンキー３３などのハードキーが設けられる。
【００２０】
なお、複合機２００の構成は、複合機１００の構成と同様である。すなわち、複合機２００は、図３に示すように、原稿の読み取りを行う画像読取部２０１、印刷を行う印刷部２０２、および、各種設定の受け付けを行う操作パネル２０３を備える。なお、複合機１００および２００の各構成が互いに同じである必要はない。
【００２１】
＜複合機のハードウェア構成＞
図３に示すように、複合機１００は、主制御部１１０を備える。主制御部１１０は、ＣＰＵ、画像処理用のＡＳＩＣ、および、記憶部（ＲＯＭやＲＡＭなど）などを含む。そして、主制御部１１０は、記憶部に記憶された制御用のプログラムやデータに基づき、複合機１００の全体制御を行う。たとえば、主制御部１１０は、画像データに対して各種処理（拡大／縮小、濃度変換およびデータ形式変換など）を施す。また、主制御部１１０は、画像読取部１０１の読取動作や印刷部１０２の印刷動作を制御する。さらに、主制御部１１０は、操作パネル１０３の表示動作を制御したり、操作パネル１０３に対して行われた操作を検知したりする。
【００２２】
この主制御部１１０には、通信部１２０が接続される。通信部１２０は、たとえば、モデムなどを内蔵する。そして、通信部１２０は、主制御部１１０から指示を受け、電話回線を介してファクシミリ通信を行う。また、通信部１２０は、主制御部１１０から指示を受け、インターネットにアクセスする。
【００２３】
また、主制御部１１０には、記憶部１３０が接続される。記憶部１３０は、通信部１２０が受信したファクシミリデータ（ファクシミリ通信によって受信した画像データ）を保存するために使用される。なお、記憶部１３０に保存されたファクシミリデータは、そのファクシミリデータに基づく印刷が終わった後、記憶部１３０から消去される場合もあるし、記憶部１３０に保存され続ける場合もある。
【００２４】
複合機２００は、主制御部２１０、通信部２２０および記憶部２３０を含む。複合機２００の主制御部２１０、通信部２２０および記憶部２３０は、それぞれ、複合機１００の主制御部１１０、通信部１２０および記憶部１３０と同様の機能を有する。すなわち、主制御部２１０は、画像読取部２０１の読取動作や印刷部２０２の印刷動作を制御する。また、主制御部２１０は、操作パネル２０３の表示動作の制御や、操作パネル２０３に対する操作の検知を行う。通信部２２０は、電話回線を介してファクシミリ通信を行ったり、インターネットにアクセスしたりする。記憶部２３０は、通信部２２０が受信したファクシミリデータを保存する。
【００２５】
＜ファクシミリ通信の概要＞
以下、一例として、複合機１００が送信側装置となり、複合機２００が受信側装置となる場合について説明する。なお、複合機１００が送信側装置となる場合には、主制御部１１０が「送信側制御部」に相当し、通信部１２０が「送信側通信部」に相当し、記憶部１３０が「送信側記憶部」に相当し、操作パネル１０３が「送信側受付部」に相当する。また、複合機２００が受信側装置となる場合には、主制御部２１０が「受信側制御部」に相当し、通信部２２０が「受信側通信部」に相当し、記憶部２３０が「受信側記憶部」に相当し、操作パネル２０３が「受信側受付部」に相当する。
【００２６】
複合機１００から複合機２００へのファクシミリ通信によるデータ送信では、まず、ユーザーによって、ファクシミリデータの基となる原稿が複合機１００にセットされる。そして、ファクシミリ通信によるデータ送信の実行指示が操作パネル１０３に対して行われる（スタートキー３２が押下される）。
【００２７】
主制御部１１０は、ファクシミリ通信によるデータ送信の実行指示を検知すると、原稿の読み取りを画像読取部１０１に行わせ、その読み取りによって得られた原稿の画像データに基づきファクシミリデータを生成する。そして、主制御部１１０は、複合機２００へのファクシミリデータの送信を通信部１２０に行わせる。
【００２８】
複合機２００に送信されたファクシミリデータは、通信部２２０が受信する。通信部２２０が受信したファクシミリデータは、記憶部２３０に一旦保存される。そして、主制御部２１０は、ファクシミリデータに対して各種処理を施した後、ファクシミリデータに基づく印刷を印刷部２０２に行わせる。
【００２９】
なお、複合機１００から複合機２００へのファクシミリ通信によるデータ送信が実行されたとき、複合機２００の記憶部２３０がメモリーフル状態になっていると、新たなファクシミリデータを記憶部２３０に保存することができない。このため、複合機１００から複合機２００へのファクシミリ通信によるデータ送信が実行されても、複合機２００ではファクシミリデータが受信されない。この場合には、ファクシミリ通信によるデータ送信が失敗したものとして、ファクシミリ通信によるデータ送信のリトライが繰り返される。
【００３０】
ここで、場合によっては、緊急を要する情報（たとえば、緊急災害情報など）を含むファクシミリデータを複合機１００から複合機２００に送信することがある。このような場合には、直ちに、複合機２００側のユーザーに緊急情報を受け取ってもらう必要がある。しかし、このとき、複合機２００がメモリーフル状態になっていると、複合機２００側のユーザーが緊急情報を受け取るまでに時間がかかってしまう。
【００３１】
このため、本実施形態では、緊急送信モードでのファクシミリ通信の実行が可能となっている。なお、緊急送信モードとは、ファクシミリ通信の一モードであって、受信側装置に保存された既存のファクシミリデータ（以下、既存データと称する）を一時的に退避させることによって受信側装置のメモリーフル状態を解消してから、送信側装置から受信側装置へのファクシミリ通信によるデータ送信を実行するモードである。
【００３２】
緊急送信モードでファクシミリ通信が行われるようにするには、送信側装置において緊急送信モードが「有効」に設定されている必要がある。ここでは、複合機１００が送信側装置であるので、複合機１００において緊急送信モードが「有効」に設定されている必要がある。
【００３３】
この緊急送信モードの設定は、操作パネル１０３が受け付ける。操作パネル１０３は、緊急送信モードの設定を受け付けるとき、図４に示すような受付画面ＰＳ１を表示する。受付画面ＰＳ１には、ソフトキーＫ１１およびＫ１２が表示される。そして、ソフトキーＫ１１をタッチすると、緊急送信モードが「有効（ＯＮ）」に設定され、ソフトキーＫ１２をタッチすると、緊急送信モードが「無効（ＯＦＦ）」に設定される。
【００３４】
さらに、受付画面ＰＳ１では、複合機２００の既存データのうち退避させるデータ（以下、退避データと称する）の上限サイズを設定することができる。たとえば、ソフトキーＫ１１をタッチすると、複数種のデータサイズが選択肢として一覧表示される。そして、複数種のデータサイズのうちいずれかを選択すると、その選択したデータサイズが上限サイズとして設定される。図４では、一例として、５０ＫＢ、１００ＫＢ、２００ＫＢおよび５００ＫＢの４種類のデータサイズが選択肢として表示された受付画面ＰＳ１を図示している。
【００３５】
なお、複合機２００が送信側装置となる場合において、緊急送信モードでファクシミリ通信が行われるようにするには、操作パネル２０３に受付画面ＰＳ１を表示させ、緊急送信モードを「有効」に設定すればよい。
【００３６】
また、緊急送信モードでファクシミリ通信が行われるようにするには、受信側装置においてデータ転送の許可設定が「許可」に設定されている必要がある。ここでは、複合機２００が受信側装置であるので、複合機２００においてデータ転送の許可設定が「許可」に設定されている必要がある。
【００３７】
このデータ転送の許可設定は、操作パネル２０３が受け付ける。操作パネル２０３は、データ転送の許可設定を受け付けるとき、図５に示すような受付画面ＰＳ２を表示する。受付画面ＰＳ２には、ソフトキーＫ２１およびＫ２２が表示される。そして、ソフトキーＫ２１をタッチすると、データ転送の許可設定が「許可（ＯＮ）」となり、ソフトキーＫ２２をタッチすると、データ転送の許可設定が「禁止（ＯＦＦ）」となる。なお、データ転送の許可設定が「禁止」になっていると、データの退避は行われない。すなわち、緊急送信モードでのファクシミリ通信は行われない。
【００３８】
さらに、受付画面ＰＳ２では、複合機２００の既存データのうちから退避データとするデータを選択するときの選択条件を設定することができる。たとえば、受付画面ＰＳ２には、選択条件を設定するためのソフトキーＫ２３〜Ｋ２６が表示される。このうち、ソフトキーＫ２３をタッチすると、既存データのうち印刷待機時間が短いデータから順に退避データに設定される。ソフトキーＫ２４をタッチすると、既存データのうちデータサイズが大きいデータから順に退避データに設定される。ソフトキーＫ２５をタッチすると、自局名称（送信元の名称）を示す情報を含まない既存データから退避データが設定される。ソフトキーＫ２６をタッチすると、自局番号（送信元のファクシミリ番号）を示す情報を含まない既存データから退避データが設定される。
【００３９】
なお、複合機１００が受信側装置となる場合において、緊急送信モードでファクシミリ通信が行われるようにするには、操作パネル１０３に受付画面ＰＳ２を表示させ、データ転送の許可設定を「許可」に設定すればよい。
【００４０】
＜ファクシミリ通信時の制御の流れ＞
以下に、図６および図７に示すフローチャートを参照して、ファクシミリ通信時の制御の流れについて説明する。なお、以下の説明では、複合機１００を送信側装置とし、複合機２００を受信側装置とする。また、以下の説明では、受信側装置（すなわち、複合機２００）においてデータ転送の許可設定が「許可」に設定されているものとする。
【００４１】
まず、図６に示すフローチャートに沿って、送信側装置である複合機１００の制御の流れについて説明する。なお、図６に示すフローチャートのスタートは、複合機１００がファクシミリ通信によるデータ送信の実行指示をユーザーから受け付けたときである。
【００４２】
ステップＳ１において、主制御部１１０は、受付画面ＰＳ１（図４参照）にて緊急送信モードが「有効」に設定されたか否かを判断する。その結果、緊急送信モードが「有効」に設定されていれば、ステップＳ２に移行する。
【００４３】
ステップＳ２に移行すると、主制御部１１０は、複合機２００の記憶部２３０（以下、受信側記憶部２３０と称する）の使用容量を示す使用容量データを取得する。たとえば、主制御部１１０は、使用容量データを取得するよう通信部１２０に指示する。この指示を受けた通信部１２０は、インターネットにアクセスし、使用容量データの要求通知を複合機２００に送信する。これにより、複合機２００から使用容量データが送信される。
【００４４】
その後、ステップＳ３において、主制御部１１０は、使用容量データに基づき、受信側記憶部２３０の使用容量が予め定められた閾値容量を上回っているか否かを判断する。言い換えると、主制御部１１０は、受信側記憶部２３０がメモリーフル状態であるか否かを判断する。その結果、受信側記憶部２３０がメモリーフル状態であれば、ステップＳ４に移行する。
【００４５】
ステップＳ４に移行すると、主制御部１１０は、自機である複合機１００側の通信ネットワーク内から、受信側記憶部２３０に保存された既存データを退避させることが可能な記憶装置を検索する。なお、複合機１００側の通信ネットワーク内には複合機３００およびサーバー４００が存在し、これら各機器が記憶装置になり得る。このような記憶装置の検索を行うため、主制御部１１０は、たとえば、通信部１２０と各記憶装置との間で通信を行わせ、各記憶装置の空き容量を示すデータを取得する。
【００４６】
また、ステップＳ５において、主制御部１１０は、受信側記憶部２３０に保存された既存データを退避させることが可能な記憶装置が検索できたか否かを判断する。その結果、記憶装置が検索できた場合には、ステップＳ６に移行し、記憶装置が検索できなかった場合には、ステップＳ７に移行する。
【００４７】
ステップＳ６に移行した場合、主制御部１１０は、検索した記憶装置（複合機３００またはサーバー４００）を退避先として選択し、検索した記憶装置のアドレスを複合機２００に通知する。一方で、ステップＳ７に移行した場合、主制御部１１０は、自機である複合機１００を退避先として選択し、自機のアドレスを複合機２００に通知する。そして、複合機２００へ退避先のアドレスを通知した後、ステップＳ８に移行する。なお、このとき、通信部１２０は、退避先のアドレスを示すデータと共に、受付画面ＰＳ１（図４参照）にて設定された上限サイズを示すデータも複合機２００に送信する。
【００４８】
ステップＳ８に移行すると、主制御部１１０は、複合機２００からデータ退避処理の完了通知を受けたか否かを判断する。なお、データ退避処理については、後に詳細に説明する。その結果、データ退避処理の完了通知を受けていれば、ステップＳ９に移行し、データ退避処理の完了通知を受けていなければ、ステップＳ８の判断を繰り返す。そして、ステップＳ９に移行すると、主制御部１１０は、通信部１２０に指示し、複合機２００へのファクシミリデータの送信を行わせる。
【００４９】
なお、ステップＳ１において、緊急送信モードが「無効」に設定されていると主制御部１１０が判断した場合には、ステップＳ９に移行する。また、ステップＳ３において、受信側記憶部２３０がメモリーフル状態でないと主制御部１１０が判断した場合にも、ステップＳ９に移行する。すなわち、これらの場合には、緊急送信モードでのファクシミリ通信は行わない（通常のファクシミリ通信を行う）。
【００５０】
次に、図７に示すフローチャートに沿って、受信側装置である複合機２００の制御の流れについて説明する。なお、図７に示すフローチャートのスタートは、複合機２００が使用容量データの要求通知を複合機１００から受けたときである。
【００５１】
ステップＳ１１において、主制御部２１０は、記憶部２３０の使用容量を確認する。そして、ステップＳ１２において、主制御部２１０は、記憶部２３０の使用容量が予め定められた閾値容量を上回っているか否かを判断する。言い換えると、主制御部２１０は、記憶部２３０がメモリーフル状態であるか否かを判断する。その結果、記憶部２３０がメモリーフル状態であれば、ステップＳ１３に移行する。
【００５２】
ステップＳ１３に移行すると、主制御部２１０は、通信部２２０に指示し、複合機１００への使用容量データの送信を行わせる。この使用容量データには、記憶部２３０がメモリーフル状態であること（使用容量が閾値容量を上回っていること）を示すデータが含まれる。
【００５３】
その後、ステップＳ１４において、主制御部２１０は、複合機１００から退避先のアドレスが通知されたか否かを判断する。その結果、退避先のアドレスの通知が有れば、ステップＳ１５に移行し、退避先のアドレスの通知が無ければ、ステップＳ１４の判断を繰り返す。なお、退避先のアドレスを示すデータには、受付画面ＰＳ１（図４参照）にて設定された上限サイズを示すデータも含まれる。
【００５４】
ステップＳ１５に移行すると、主制御部２１０は、記憶部２３０に保存された既存データのうち少なくとも一部のデータを退避データとして退避先に転送する処理であるデータ退避処理を行う。具体的には、主制御部２１０は、受付画面ＰＳ２（図５参照）にて設定された選択条件に基づき、記憶部２３０に保存された既存データのうちから退避データとするデータを選択する。このとき、主制御部２１０は、退避データのサイズが上限サイズと略同じとなるようにする（退避データのサイズが上限サイズを超えないようにする）。そして、主制御部２１０は、退避先への退避データの転送を通信部２２０に行わせる。
【００５５】
その後、ステップＳ１６において、主制御部２１０は、データ退避処理が完了したか否かを判断する。その結果、データ退避処理が完了していれば、ステップＳ１７に移行し、データ退避処理が完了していなければ、ステップＳ１６の判断を繰り返す。
【００５６】
ステップＳ１７に移行すると、主制御部２１０は、通信部２２０に指示し、複合機１００に対してデータ退避処理の完了通知を送信させる。そして、ステップＳ１８において、主制御部２１０は、ファクシミリ通信によるデータ受信が可能な状態で待機する。
【００５７】
なお、ステップＳ１２において、記憶部２３０がメモリーフル状態ではないと主制御部２１０が判断した場合には、ステップＳ１９に移行する。ステップＳ１９に移行すると、主制御部２１０は、通信部２２０に指示し、使用容量データとして、記憶部２３０がメモリーフル状態でないこと（使用容量が閾値容量を上回っていないこと）を示すデータを複合機１００に送信させる。その後、ステップＳ１８に移行する。すなわち、この場合には、データ退避処理は行われない。
【００５８】
＜ファクシミリ通信後の制御の流れ＞
以下に、図８に示すフローチャートを参照して、ファクシミリ通信後の受信側装置の制御の流れについて説明する。なお、以下の説明では、複合機１００を送信側装置とし、複合機２００を受信側装置とする。また、以下の説明では、受信側装置（すなわち、複合機２００）においてデータ退避処理が行われたとする。
【００５９】
ファクシミリ通信が終了すると、ステップＳ２１において、主制御部２１０は、記憶部２３０がメモリーフル状態であるか否かを判断する。言い換えると、主制御部２１０は、記憶部２３０の空き容量が退避データを保存できる容量となっているか否かを判断する。その結果、記憶部２３０がメモリーフル状態でなければ、ステップＳ２２に移行し、記憶部２３０がメモリーフル状態であれば、ステップＳ２１の判断を繰り返す。なお、主制御部２１０は、記憶部２３０がメモリーフル状態であるか否かを判断するため、ファクシミリ通信が終了して以降、すなわち、ファクシミリ通信により送信された複合機１００からのファクシミリデータを通信部２２０が受信して以降、記憶部２３０の空き容量の確認を一定の時間間隔で行う。
【００６０】
そして、ステップＳ２２に移行すると、主制御部２１０は、退避先からの退避データの取得を通信部２２０に行わせる。このようにして取得した退避データは、再度、記憶部２３０に保存される。
【００６１】
本実施形態では、上記のように、送信側の複合機１００（ファクシミリ装置）は、ファクシミリ通信によるデータ送信の実行指示を受け付ける操作パネル１０３（送信側受付部）と、ファクシミリ通信の相手機である受信側の複合機２００（受信側装置）にファクシミリデータを送信する通信部１２０（送信側通信部）と、ファクシミリ通信時の装置動作を制御する主制御部１１０（送信側制御部）と、を備える。そして、送信側の操作パネル１０３がファクシミリ通信によるデータ送信の実行指示を受け付けたとき、送信側の主制御部１１０は、受信側の記憶部２３０の使用容量を示す使用容量データを取得することにより、その使用容量が予め定められた閾値容量を上回っているか否かを判断する。また、受信側の記憶部２３０の使用容量が閾値容量を上回っているとき、送信側の主制御部１１０は、ファクシミリ通信によるデータ送信の実行に先立って、自機側の通信ネットワーク内から、受信側の記憶部２３０に保存された既存データを退避させることが可能な記憶装置（複合機３００やサーバー４００など）を検索するとともに、検索した記憶装置を退避先として選択し、受信側の複合機２００に対して退避先のアドレスを通知することにより、既存データのうち少なくとも一部のデータを退避データとして退避先に転送するデータ退避処理を受信側の複合機２００に行わせる。
【００６２】
この構成では、ファクシミリ通信によるデータ送信を実行するとき、受信側の複合機２００がメモリーフル状態（受信側の記憶部２３０の使用容量が閾値容量を上回っている状態）であれば、受信側の記憶部２３０に保存された既存データのうち少なくとも一部のデータを退避先に転送するデータ退避処理が行われる。このデータ退避処理において退避先となる記憶装置は、送信側の通信ネットワーク内から検索され、選択される。したがって、受信側の通信ネットワーク内に適当な退避先が存在しなくても、データ退避処理が行われ、受信側の複合機２００のメモリーフル状態が解消される。これにより、送信対象のファクシミリデータを速やかに受信側の複合機２００に受信させることができる。
【００６３】
また、本実施形態では、上記のように、自機側の通信ネットワーク内に退避先となり得る記憶装置（自機以外の装置）が存在しない場合、送信側の主制御部１１０は、自機に設けられた記憶部１３０を退避先として選択し、受信側の複合機２００に対して自機のアドレスを通知する。このように構成すれば、自機側の通信ネットワーク内に退避先となり得る記憶装置（自機以外の装置）が存在しなくても、受信側の複合機２００にデータ退避処理を行わせることができる。
【００６４】
また、本実施形態では、上記のように、送信側の操作パネル１０３は、退避先への転送を受け入れる退避データの上限サイズの設定を受け付ける。このように構成すれば、転送先に転送される退避データのサイズを任意に変更することができる。
【００６５】
また、本実施形態では、上記のように、受信側の複合機２００（受信側装置）は、送信側の複合機１００から送信されるファクシミリデータを受信する通信部２２０（受信側通信部）と、通信部２２０が受信したファクシミリデータを保存する記憶部２３０（受信側記憶部）と、送信側の複合機１００から退避先のアドレスが通知されたとき、記憶部２３０部に保存された既存データのうちから、退避先に退避させる退避データとするデータを選択し、退避先への退避データの転送を通信部２２０に行わせる主制御部２１０（受信側制御部）と、を備える。このように構成すれば、容易に、受信側の複合機２００にデータ退避処理を行わせることができる。
【００６６】
また、本実施形態では、上記のように、受信側の複合機２００は、既存データのうちから退避データとするデータを選択するときの選択条件の設定を受け付ける操作パネル２０３（受信側受付部）を備える。そして、送信側の複合機１００から退避先のアドレスが通知されたとき、受信側の主制御部２１０は、受信側の操作パネル２０３が受け付けた選択条件に基づき、受信側の記憶部２３０に保存された既存データのうちから退避データとするデータを選択する。このように構成すれば、既存データのうち意図しないデータが退避データとなってしまう、という不都合が発生するのを抑制することができる。
【００６７】
また、本実施形態では、上記のように、退避先への退避データの転送を受信側の通信部２２０に行わせた場合、受信側の主制御部２１０は、送信側の複合機１００からのファクシミリデータを受信側の通信部２２０が受信して以降、受信側の記憶部２３０の空き容量の確認を行い、受信側の記憶部２３０の空き容量が退避データを保存できる容量となっていれば、退避先からの退避データの取得を受信側の通信部２３０に行わせる。このように構成すれば、ファクシミリ通信が終了した後、退避データに基づく印刷を受信側の複合機１００で行えるようになる。
【００６８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６９】
１００  複合機（ファクシミリ装置）
１０３  操作パネル（送信側受付部）
１１０  主制御部（送信側制御部）
１２０  通信部（送信側通信部）
２００  複合機（受信側装置）
２０３  操作パネル（受信側受付部）
２１０  主制御部（受信側制御部）
２２０  通信部（受信側通信部）
２３０  記憶部（受信側記憶部）
３００  複合機（記憶装置）
４００  サーバー（記憶装置）
ＦＳ  ファクシミリ通信システム
【図１】
2016019275.tif 000003
【図２】
2016019275.tif 000004
【図３】
2016019275.tif 000005
【図４】
2016019275.tif 000006
【図５】
2016019275.tif 000007
【図６】
2016019275.tif 000008
【図７】
2016019275.tif 000009
【図８】
2016019275.tif 000010